(57)【要約】【課題】ユーザ情報が入力されると画像処理に関する操作を受け付けるユーザインタフェースを提供する場合に、よりユーザのニーズに合ったユーザインタフェースを提供すること。【解決手段】ユーザ情報の入力を受け付ける受付部と、制御部と、を備え、制御部は、受付部によってユーザ情報の入力が受け付けられた場合に、インタフェース部にユーザインタフェースを提供させるか否か、及び／又は、互いに異なる複数のユーザインタフェースのうちいずれのユーザインタフェースを提供させるかを、受付部によって当該ユーザ情報の入力を受け付けたときの入力方法に応じて決定する決定処理と、決定処理による決定に従ってインタフェース部によるユーザインタフェースの提供を制御する制御処理と、を実行する、画像処理装置。【選択図】図３
2014024295.tif 000002
【特許請求の範囲】
【請求項１】
画像処理を実行する画像処理部と、
前記画像処理に関する操作をユーザから受け付けるユーザインタフェースを提供するインタフェース部と、
互いに異なる複数の入力方法のうちユーザによって選択された入力方法によってユーザ情報の入力を受け付ける受付部と、
制御部と、
を備え、
前記制御部は、
前記受付部によって前記ユーザ情報の入力が受け付けられた場合に、前記インタフェース部に前記ユーザインタフェースを提供させるか否か、及び／又は、互いに異なる複数の前記ユーザインタフェースのうちいずれの前記ユーザインタフェースを提供させるかを、前記受付部によって当該ユーザ情報の入力を受け付けたときの入力方法に応じて決定する決定処理と、
前記決定処理による決定に従って前記インタフェース部による前記ユーザインタフェースの提供を制御する制御処理と、
を実行する、画像処理装置。
【請求項２】
請求項１に記載の画像処理装置であって、
前記複数の入力方法は、第１の入力方法と、前記第１の入力方法よりも操作回数が多い第２の入力方法とを含み、
前記制御部は、前記決定処理において、前記受付部によって前記ユーザ情報の入力を受け付けたときの入力方法が前記第２の入力方法である場合は、前記第１の入力方法である場合よりも受け付けられる操作が多い前記ユーザインタフェースに決定する、画像処理装置。
【請求項３】
請求項１に記載の画像処理装置であって、
前記複数の入力方法は、第１の入力方法と、前記第１の入力方法よりも操作回数が多い第２の入力方法とを含み、
前記制御部は、前記決定処理において、前記受付部によって前記ユーザ情報の入力を受け付けたときの入力方法が前記第２の入力方法である場合は前記ユーザインタフェースを提供すると決定する一方、前記第１の入力方法である場合は前記ユーザインタフェースを提供しないと決定する、画像処理装置。
【請求項４】
請求項１に記載の画像処理装置であって、
前記制御部は、
前記インタフェース部を制御して、各前記入力方法に対応する前記ユーザインタフェースの設定をユーザから受け付けるインタフェース設定処理を実行し、
前記決定処理において、前記受付部によって前記ユーザ情報の入力を受け付けたときの入力方法に対応する前記ユーザインタフェースであって前記インタフェース設定処理によって対応付けられている前記ユーザインタフェースに決定する、画像処理装置。
【請求項５】
請求項１乃至請求項４のいずれか一項に記載の画像処理装置であって、
前記ユーザインタフェースは、前記画像処理の処理対象の画像をユーザが指定するためのユーザインタフェースである、画像処理装置。
【請求項６】
請求項１乃至請求項５のいずれか一項に記載の画像処理装置であって、
前記ユーザインタフェースは、前記画像処理の処理条件をユーザが設定するためのユーザインタフェースである、画像処理装置。
【請求項７】
請求項１乃至請求項６のいずれか一項に記載の画像処理装置であって、
前記ユーザインタフェースは、前記画像処理の処理対象の画像群の中から処理対象外とする画像をユーザが選択するためのユーザインタフェース、及び、前記画像群を構成している画像の処理順序をユーザが編集するためのユーザインタフェースの少なくとも一方である、画像処理装置。
【請求項８】
画像処理を実行する画像処理装置と通信可能に接続されている情報処理装置で実行される画像処理制御プログラムであって、
前記画像処理装置にユーザ情報を入力するときの入力方法の設定をユーザから受け付ける入力方法受付処理と、
前記入力方法受付処理によって受け付けられた前記入力方法を示す情報を処理対象の画像に付加して前記画像処理装置に送信する送信処理と、
を実行させる画像処理制御プログラム。
【発明の詳細な説明】
【技術分野】
【０００１】
画像処理ジョブに関する操作をユーザから受け付けるユーザインタフェースを提供する技術に関する。
【背景技術】
【０００２】
従来から、画像処理装置の使用に際し、ユーザに認証を要求し、認証が成功したユーザに対して画像処理装置の使用を許可する技術が知られている。例えば、記憶媒体を用いた第１の認証モードと、ユーザの操作によって入力されたユーザ情報を用いた第２の認証モードとを備え、いずれかの認証モードによってユーザが認証されると使用を許可する画像形成装置が知られている（例えば、特許文献１参照）。
【先行技術文献】
【特許文献】
【０００３】
【特許文献１】特開２０１１−１２８９０７号公報
【発明の概要】
【発明が解決しようとする課題】
【０００４】
ところで、ユーザ情報が入力された場合に、画像処理に関する操作を受け付けるユーザインタフェースを提供し、そのユーザインタフェースによって受け付けられた設定に基づいて画像処理を実行させる場合がある。
【０００５】
しかしながら、提供したユーザインタフェースがユーザのニーズを満たしているか否かはユーザによって異なり、全てのユーザのニーズを同時に満たすユーザインタフェースを提供することは困難であった。
例えば、設定できる項目を少なくすることによって簡単に操作できることを望むユーザのニーズと、操作が複雑になっても多くの項目を設定できることを望むユーザのニーズとを同時に満たすことは困難であった。
【０００６】
本明細書では、ユーザ情報が入力されると画像処理に関する操作を受け付けるユーザインタフェースを提供する場合に、よりユーザのニーズに合ったユーザインタフェースを提供する技術を開示する。
【０００７】
また、本明細書では、ユーザ情報が入力されると画像処理に関する操作を受け付けるユーザインタフェースを提供する場合に、ユーザインタフェースを提供するか否かをユーザのニーズに応じて決定する技術を開示する。
【課題を解決するための手段】
【０００８】
本明細書によって開示される画像処理装置は、画像処理を実行する画像処理部と、前記画像処理に関する操作をユーザから受け付けるユーザインタフェースを提供するインタフェース部と、互いに異なる複数の入力方法のうちユーザによって選択された入力方法によってユーザ情報の入力を受け付ける受付部と、制御部と、を備え、前記制御部は、前記受付部によって前記ユーザ情報の入力が受け付けられた場合に、前記インタフェース部に前記ユーザインタフェースを提供させるか否か、及び／又は、互いに異なる複数の前記ユーザインタフェースのうちいずれの前記ユーザインタフェースを提供させるかを、前記受付部によって当該ユーザ情報の入力を受け付けたときの入力方法に応じて決定する決定処理と、前記決定処理による決定に従って前記インタフェース部による前記ユーザインタフェースの提供を制御する制御処理と、を実行する。
【０００９】
例えばユーザインタフェースを提供するか否かを入力方法に応じて決定する場合は、ユーザインタフェースが提供されると煩わしいと考えるユーザはユーザインタフェースが提供されない入力方法でユーザ情報を入力することにより、ユーザインタフェースが提供されないようにすることができる。逆に、ユーザインタフェースが提供されて欲しいユーザはユーザインタフェースが提供される入力方法でユーザ情報を入力することにより、ユーザインタフェースが提供されるようにすることができる。
よって上記画像処理装置によると、ユーザ情報が入力されると画像処理に関する操作を受け付けるユーザインタフェースを提供する場合に、ユーザインタフェースを提供するか否かをユーザのニーズに応じて決定することができる。
【００１０】
また、互いに異なる複数のユーザインタフェースのうちいずれのユーザインタフェースを提供させるかをユーザ情報の入力方法に応じて決定する場合は、ユーザは複数のユーザインタフェースのうち自身のニーズに最も合うと思われるユーザインタフェースが提供される入力方法でユーザ情報を入力することにより、自身のニーズに最も合うと思われるユーザインタフェースが提供されるようにすることができる。
よって上記画像処理装置によると、ユーザ情報が入力されると画像処理に関する操作を受け付けるユーザインタフェースを提供する場合に、よりユーザのニーズに合ったユーザインタフェースを提供することができる。
【００１１】
また、前記複数の入力方法は、第１の入力方法と、前記第１の入力方法よりも操作回数が多い第２の入力方法とを含み、前記制御部は、前記決定処理において、前記受付部によって前記ユーザ情報の入力を受け付けたときの入力方法が前記第２の入力方法である場合は、前記第１の入力方法である場合よりも受け付けられる操作が多い前記ユーザインタフェースに決定してもよい。
【００１２】
第１の入力方法よりも操作回数が多い第２の入力方法でユーザ情報を入力したユーザは、第１の入力方法でユーザ情報を入力したユーザに比べ、操作が多いことに対する抵抗が小さいと推測される。そして、操作が多いことに対する抵抗が小さいユーザの場合は、多くの操作が受け付けられるユーザインタフェースを提供した方がそのユーザのニーズに合っていると推測される。
上記画像処理装置によると、ユーザ情報の入力を受け付けたときの入力方法が第２の入力方法である場合は、第１の入力方法である場合よりも受け付けられる操作が多いユーザインタフェースに決定するので、第２の入力方法でユーザ情報を入力したユーザのニーズに合ったユーザインタフェースを提供することができる。
【００１３】
また、前記複数の入力方法は、第１の入力方法と、前記第１の入力方法よりも操作回数が多い第２の入力方法とを含み、前記制御部は、前記決定処理において、前記受付部によって前記ユーザ情報の入力を受け付けたときの入力方法が前記第２の入力方法である場合は前記ユーザインタフェースを提供すると決定する一方、前記第１の入力方法である場合は前記ユーザインタフェースを提供しないと決定してもよい。
【００１４】
第１の入力方法でユーザ情報を入力したユーザは、第２の入力方法でユーザ情報を入力したユーザに比べ、操作が多いことに対する抵抗が大きいと推測される。そして、操作が多いことに対する抵抗が大きいユーザは、ユーザインタフェースが提供されること自体を望まないと推測される。
上記画像処理装置によると、第１の入力方法である場合はユーザインタフェースを提供しないので、ユーザインタフェースが提供されること自体を望まないユーザのニーズに合わせることができる。
【００１５】
また、前記制御部は、前記インタフェース部を制御して、各前記入力方法に対応する前記ユーザインタフェースの設定をユーザから受け付けるインタフェース設定処理を実行し、前記決定処理において、前記受付部によって前記ユーザ情報の入力を受け付けたときの入力方法に対応する前記ユーザインタフェースであって前記インタフェース設定処理によって対応付けられている前記ユーザインタフェースに決定してもよい。
【００１６】
上記画像処理装置によると、各入力方法に対応するユーザインタフェースをユーザが設定できるので、ユーザのニーズにより合ったユーザインタフェースを提供することができる。
【００１７】
また、前記ユーザインタフェースは、前記画像処理の処理対象の画像をユーザが指定するためのユーザインタフェースであってもよい。
【００１８】
上記画像処理装置によると、処理対象の画像をユーザが指定するためのユーザインタフェースを提供する場合に、ユーザのニーズに合ったユーザインタフェースを提供することができる。
【００１９】
また、前記ユーザインタフェースは、前記画像処理の処理条件をユーザが設定するためのユーザインタフェースであってもよい。
【００２０】
上記画像処理装置によると、画像処理の処理条件をユーザが設定するためのユーザインタフェースを提供する場合に、ユーザのニーズに合ったユーザインタフェースを提供することができる。
【００２１】
また、前記ユーザインタフェースは、前記画像処理の処理対象の画像群の中から処理対象外とする画像をユーザが選択するためのユーザインタフェース、及び、前記画像群を構成している画像の処理順序をユーザが編集するためのユーザインタフェースの少なくとも一方であってもよい。
【００２２】
上記画像処理装置によると、処理対象の画像群の中から処理対象外とする画像をユーザが選択するためのユーザインタフェース、及び、画像群を構成している画像の処理順序をユーザが編集するためのユーザインタフェースの少なくとも一方を提供する場合に、ユーザのニーズに合ったユーザインタフェースを提供することができる。
【００２３】
本明細書によって開示される画像処理制御プログラムは、画像処理を実行する画像処理装置と通信可能に接続されている情報処理装置で実行される画像処理制御プログラムであって、前記画像処理装置にユーザ情報を入力するときの入力方法の設定をユーザから受け付ける入力方法受付処理と、前記入力方法受付処理によって受け付けられた前記入力方法を示す情報を処理対象の画像に付加して前記画像処理装置に送信する送信処理と、を実行させる。
【００２４】
上記画像処理制御プログラムによると、ユーザは画像処理装置にユーザ情報を入力するときの入力方法を情報処理装置で設定することができる。
【００２５】
なお、本明細書で開示する技術は、画像処理システム、画像処理方法、情報処理装置、画像処理制御プログラムを記録した記録媒体等の種々の態様で実現できる。
【図面の簡単な説明】
【００２６】
【図１】実施形態１に係るプリンタ及びＰＣの電気的構成を簡略化して示すブロック図。
【図２】印刷設定画面及び入力方法設定画面を示す模式図。
【図３】入力方法に応じたユーザインタフェースを示す模式図。
【図４】簡易印刷条件変更画面の模式図。
【図５】詳細印刷条件変更画面の模式図。
【図６】ページ編集画面の模式図。
【図７】ユーザインタフェース決定処理のフローチャート。
【図８】第１の制御処理のフローチャート。
【図９】第２の制御処理のフローチャート。
【図１０】実施形態２に係る第１の制御処理のフローチャート。
【図１１】第１の制御処理のフローチャート。
【図１２】第２の制御処理のフローチャート。
【図１３】実施形態３に係るユーザインタフェース設定画面の模式図。
【発明を実施するための形態】
【００２７】
＜実施形態１＞
本発明の実施形態１を図１ないし図９によって説明する。
（１）プリンタの電気的構成
図１は、実施形態１に係る画像処理装置としてのプリンタ１の電気的構成を示すブロック図である。プリンタ１は、制御部１０、印刷部１１、操作部１２、記憶部１３、カードリーダ１４、通信インタフェース部１５などを備えて構成されている。
【００２８】
制御部１０は、ＣＰＵ１０ａ、ＲＯＭ１０ｂ、ＲＡＭ１０ｃなどを備えて構成されている。ＣＰＵ１０ａはＲＯＭ１０ｂや記憶部１３に記憶されている制御プログラムを実行することによってプリンタ１の各部を制御する。ＲＯＭ１０ｂにはＣＰＵ１０ａによって実行される制御プログラムや各種のデータなどが記憶されている。ＲＡＭ１０ｃはＣＰＵ１０ａが各種の処理を実行するための主記憶装置として用いられる。
【００２９】
印刷部１１は、印刷用紙などのシートに電子写真方式やインクジェット方式で画像を印刷する装置である。印刷部１１は画像処理部の一例である。また、印刷は画像処理の一例である。
操作部１２は、液晶ディスプレイなどの表示装置とその表示装置の表示面を覆うタッチパネルとからなる操作パネル、各種の操作ボタンなどを備えて構成されている。ユーザは操作部１２を操作することによってユーザＩＤの入力や各種の操作などを行うことができる。ユーザＩＤはユーザ情報の一例である。また、操作部１２はインタフェース部の一例である。
【００３０】
記憶部１３は、ハードディスクやフラッシュメモリなどの不揮発性のメモリを用いて各種のデータを記憶する装置である。記憶部１３には後述するセキュリティ印刷ジョブなどが記憶される。
【００３１】
カードリーダ１４は、ＩＤカードに記憶されているユーザＩＤを読み取り、読み取ったユーザＩＤを制御部１０に出力する装置である。カードリーダ１４はＩＤカードを非接触で読み取るものであってもよいし、ＩＤカードに接触して読み取るものであってもよい。ＩＤカードとしては例えばＩＣチップが埋め込まれたＩＣカードや磁気カードを用いることができる。前述した操作部１２とカードリーダ１４とは受付部を構成している。
【００３２】
通信インタフェース部１５は、ＬＡＮ（Ｌｏｃａｌ  Ａｒｅａ  Ｎｅｔｗｏｒｋ）やインターネットなどの通信ネットワーク５を介してパーソナルコンピュータ（ＰＣと記す）２などの外部の装置と通信可能に接続されている。
【００３３】
（２）ＰＣの電気的構成
次に、図１を参照して、実施形態１に係る情報処理装置としてのＰＣ２の電気的構成について説明する。ＰＣ２は、ＣＰＵ２０、ＲＯＭ２１、ＲＡＭ２２、記憶部２３、表示部２４、操作部２５、通信インタフェース部２６などを備えて構成されている。
【００３４】
ＣＰＵ２０はＲＯＭ２１や記憶部２３に記憶されているプログラムを実行することによってＰＣ２の各部を制御する。ＲＯＭ２１にはＣＰＵ２０によって実行されるプログラムやデータなどが記憶されている。ＲＡＭ２２はＣＰＵ２０が各種の処理を実行するための主記憶装置として用いられる。
【００３５】
記憶部２３は、ハードディスクやフラッシュメモリなどの不揮発性のメモリを用いて各種のプログラムやデータを記憶する装置である。記憶部２３には図示しないオペレーティングシステム（ＯＳ）やアプリケーションプログラム、プリンタ１を制御するプリンタドライバ３０などが記憶されている。プリンタドライバ３０は画像処理制御プログラムの一例である。
【００３６】
表示部２４は、液晶ディスプレイなどの表示装置、表示装置を駆動するディスプレイ駆動回路などを備えて構成されている。
操作部２５は、キーボードやマウスなどを備えて構成されている。
通信インタフェース部２６は通信ネットワーク５を介してＰＣ２をプリンタ１と通信可能に接続するものである。
【００３７】
（３）セキュリティ印刷
プリンタ１はセキュリティ印刷を実行可能に構成されている。セキュリティ印刷とは、ＰＣ２からプリンタ１に印刷ジョブを送信しても直ぐには印刷を行わず、ユーザがプリンタ１で所定の操作を行うとその印刷ジョブの印刷を行うことをいう。
例えばＰＣ２からプリンタ１に印刷ジョブを送信したときに直ぐに印刷ジョブの印刷が行われると、ユーザがプリンタ１に印刷結果を取りに行くまでの間に印刷結果を他人に見られてしまう可能性がある。セキュリティ印刷ではユーザがプリンタ１で所定の操作を行わないと印刷が行われないので、印刷結果を他人に見られてしまわないようにすることができる。
【００３８】
セキュリティ印刷を行う場合は、ユーザはＰＣ２で印刷ジョブにセキュリティ印刷を設定してプリンタ１に送信する。以降の説明ではセキュリティ印刷が設定されている印刷ジョブのことをセキュリティ印刷ジョブという。セキュリティ印刷ジョブにはユーザによって設定された印刷条件の他、セキュリティ印刷を指示したユーザのユーザＩＤも設定される。印刷条件は処理条件の一例である。
【００３９】
プリンタ１はＰＣ２からセキュリティ印刷ジョブを受信すると、受信した印刷ジョブを記憶部１３に記憶する。そして、プリンタ１は操作部１２あるいはカードリーダ１４によってユーザＩＤが入力されるまで待機し、ユーザＩＤが入力されると、記憶部１３に記憶されているセキュリティ印刷ジョブのうち入力されたユーザＩＤと一致するユーザＩＤが設定されているセキュリティ印刷ジョブを印刷する。
【００４０】
以下、セキュリティ印刷を行う場合のユーザの操作について、ＰＣ２で行う操作とプリンタ１で行う操作とに分けて説明する。
【００４１】
（３−１）ＰＣで行う操作
先ず、図２を参照して、ＰＣ２で行う操作について説明する。ユーザはアプリケーションプログラムによって表示される図示しない印刷画面でプリンタを選択して所定の操作を行うことにより、選択したプリンタを制御するプリンタドライバに印刷設定画面の表示を指示することができる。ここではプリンタ１が選択されたものとする。
【００４２】
プリンタ１を制御するプリンタドライバ、すなわちプリンタドライバ３０は、印刷設定画面の表示を指示されると、表示部２４に印刷設定画面３１を表示させる。印刷設定画面３１では、印刷部数３１ａ、カラー印刷設定３１ｂ、両面印刷／小冊子印刷３１ｃ、Ｎｉｎ１印刷３１ｄ、すかし印刷３１ｅなどの印刷設定項目の設定値を設定することができる。なお、これらの印刷設定項目は一例であり、どのような印刷設定項目の設定を受け付けるかは適宜に決定できる。
【００４３】
カラー印刷設定３１ｂには、「カラー印刷する」、又は、「カラー印刷しない」を設定することができる。
両面印刷／小冊子印刷３１ｃには、「両面印刷する」、「両面印刷しない」、又は、「小冊子印刷する」を設定することができる。
Ｎｉｎ１印刷３１ｄには、１ｉｎ１、２ｉｎ１、４ｉｎ１、又は、９ｉｎ１を設定することができる。ここでＮｉｎ１印刷とは、一のシートの片面に複数のページを割り付けて印刷することをいう。
【００４４】
すかし印刷３１ｅには、「すかしを印刷しない」、「社外秘」、又は、「コピー」を設定することができる。
セキュリティ印刷３１ｆは、セキュリティ印刷を行うか否かをユーザが設定するための項目である。セキュリティ印刷を行う場合は、ユーザはセキュリティ印刷３１ｆをオンにする。
【００４５】
パスワード３１ｇは、セキュリティ印刷を行う場合に、セキュリティ印刷ジョブに設定するパスワードを入力するための項目である。入力するパスワードはユーザが自由に決定できる。パスワードを入力するか否かは次に説明する入力方法設定画面３２で設定される入力方法によって決定される。
ユーザＩＤの入力方法設定ボタン３１ｈは、入力方法設定画面３２を表示させるためのボタンである。
【００４６】
入力方法設定画面３２は、セキュリティ印刷を行う場合に、プリンタ１にユーザＩＤを入力するときの入力方法をユーザが設定するための画面である。図２に示す例では、ユーザＩＤの入力方法として「ＩＤカードによる入力」３２ａ、「ＩＤカードによる入力＋パスワード」３２ｂ、及び、「パネル操作による入力」３２ｃを設定できる。
【００４７】
「ＩＤカードによる入力」３２ａは、カードリーダ１４にＩＤカードを読み取らせることによってユーザＩＤを入力する方法である。「ＩＤカードによる入力」３２ａを設定した場合は印刷設定画面３１でパスワードを入力しても無効となる。「ＩＤカードによる入力」は第１の入力方法の一例である。
「ＩＤカードによる入力＋パスワード」３２ｂは、カードリーダ１４にＩＤカードを読み取らせることによってユーザＩＤを入力する入力方法である。「ＩＤカードによる入力＋パスワード」３２ｂを設定した場合は、プリンタ１にユーザＩＤを入力した後にパスワードの入力が要求される。「ＩＤカードによる入力＋パスワード」３２ｂを設定した場合は印刷設定画面３１でのパスワードの入力は必須となる。「ＩＤカードによる入力＋パスワード」も第１の入力方法の一例である。
【００４８】
「パネル操作による入力」３２ｃは、プリンタ１の操作パネルを操作してユーザＩＤを入力する方法である。具体的には、パネル操作による入力では、ユーザはプリンタ１を操作して操作パネルにユーザＩＤを一覧表示させ、一覧表示されている複数のユーザＩＤの中から自身のユーザＩＤを選択することによってユーザＩＤを入力する。「パネル操作による入力」３２ｃを設定した場合は印刷設定画面３１でのパスワードの入力は必須となる。「パネル操作による入力」は第２の入力方法の一例である。
【００４９】
印刷設定画面３１でセキュリティ印刷３１ｆをオンにした場合は入力方法設定画面３２で少なくとも一つの入力方法を設定することが必須となる。また、ユーザは複数の入力方法を設定することもできる。複数の入力方法を設定した場合は、ユーザはプリンタ１にユーザＩＤを入力するとき、設定した複数の入力方法の中から任意の入力方法を選択してユーザＩＤを入力できる。入力方法設定画面３２を表示して入力方法の設定を受け付ける処理は入力方法受付処理の一例である。
【００５０】
また、入力方法設定画面３２には「印刷されたセキュリティ印刷ジョブに関連付けられているセキュリティ印刷ジョブを削除する」３２ｄという項目も表示される。この項目についての説明は後述する。
【００５１】
印刷設定画面３１でユーザがＯＫボタン３１ｊをクリックすると、プリンタドライバ３０はＲＡＭ２２に記憶されているデフォルトの印刷条件を印刷設定画面３１や入力方法設定画面３２で設定された設定値で更新した上で前述した印刷画面（アプリケーションプログラムによって表示される図示しない印刷画面）に戻る。一方、キャンセルボタン３１ｋがクリックされた場合は、プリンタドライバ３０は設定された設定値を破棄して印刷画面に戻る。
【００５２】
印刷画面でユーザが印刷を指示すると、アプリケーションプログラムからＯＳを介してプリンタドライバ３０に印刷対象のページが出力される。ページは画像の一例である。
プリンタドライバ３０は、印刷対象のページが出力されると、出力されたページを印刷するための印刷ジョブを生成し、生成した印刷ジョブをプリンタ１に送信する。この印刷ジョブにはＲＡＭ２２に記憶されている印刷条件及び当該ユーザのユーザＩＤが設定される。
【００５３】
上述した印刷ジョブの生成において、プリンタドライバ３０は、入力方法設定画面３２で複数の入力方法が設定されている場合は、設定されている入力方法毎に印刷ジョブを生成する。例えば、上述した３つの入力方法が全て設定されていたとすると、プリンタドライバ３０は入力方法として「ＩＤカードによる入力」が設定されているセキュリティ印刷ジョブ、入力方法として「ＩＤカードによる入力＋パスワード」が設定されているセキュリティ印刷ジョブ、及び、入力方法として「パネル操作による入力」が設定されているセキュリティ印刷ジョブの計３つのセキュリティ印刷ジョブを生成する。
【００５４】
そして、プリンタドライバ３０はそれらのセキュリティ印刷ジョブを互いに関連付けてプリンタ１に送信する。この関連付けは、各セキュリティ印刷ジョブに共通の関連付け情報を設定することによって行うことができる。
入力方法設定画面３２で設定された入力方法を示す情報をセキュリティ印刷ジョブに設定してプリンタ１に送信する処理は送信処理の一例である。
【００５５】
次に、入力方法設定画面３２に表示される「印刷されたセキュリティ印刷ジョブに関連付けられているセキュリティ印刷ジョブを削除する」３２ｄについて説明する。前述したようにプリンタ１は複数の入力方法が設定されている場合は入力方法毎にセキュリティ印刷ジョブを生成してプリンタ１に送信する。それらの印刷ジョブは同じページが印刷されるものであるので、いずれかのセキュリティ印刷ジョブが印刷された場合は他のセキュリティ印刷ジョブの印刷は不要となる。しかしながら、ユーザは敢えて同じページを重複して印刷したい場合もある。当該項目は、セキュリティ印刷ジョブが印刷されたときにそのセキュリティ印刷ジョブに関連付けられている他のセキュリティ印刷ジョブを削除するか否かを、ユーザが設定するためのものである。
【００５６】
（３−２）プリンタで行う操作
次に、図３〜図６を参照して、プリンタ１で行う操作について説明する。前述したようにセキュリティ印刷を行う場合はユーザはプリンタ１にユーザＩＤを入力する。プリンタ１はユーザＩＤが入力されると直ちにセキュリティ印刷ジョブの印刷を行うのではなく、セキュリティ印刷ジョブに関する操作を受け付けるユーザインタフェースを提供する。そして、プリンタ１はそのユーザインタフェースによって受け付けられた操作に従ってセキュリティ印刷ジョブの印刷を行う。
【００５７】
上述したユーザインタフェースの提供において、プリンタ１は提供するユーザインタフェースを、ユーザがプリンタ１にユーザＩＤを入力したときの入力方法に応じて決定する。具体的には、実施形態１に係るプリンタ１は、ＩＤカードによってユーザＩＤが入力された場合は、パネル操作によってユーザＩＤが入力された場合よりも受け付けられる操作が少ないユーザインタフェースを提供する。
【００５８】
ここでは先ずＩＤカードによってユーザＩＤが入力された場合のユーザインタフェース、及び、パネル操作によってユーザＩＤが入力された場合のユーザインタフェースについて説明し、その後に、ユーザＩＤの入力方法によってユーザインタフェースを異ならせている理由について説明する。
【００５９】
（３−２−１）ＩＤカードによってユーザＩＤが入力された場合
先ず、図３を参照して、ＩＤカードによってユーザＩＤが入力された場合のユーザインタフェースについて説明する。ここでは先ずＩＤカードによってユーザＩＤが入力された場合の印刷対象のセキュリティ印刷ジョブの選択について説明し、その後にユーザインタフェースについて説明する。
【００６０】
ＩＤカードによってユーザＩＤが入力された場合は、プリンタ１は記憶部１３に記憶されているセキュリティ印刷ジョブのうち入力されたユーザＩＤと同じユーザＩＤが設定されているセキュリティ印刷ジョブであってユーザＩＤの入力方法として「ＩＤカードによる入力」又は「ＩＤカードによる入力＋パスワード」が設定されているセキュリティ印刷ジョブのうち、最新のセキュリティ印刷ジョブを印刷対象のセキュリティ印刷ジョブとして自動で選択する。
印刷対象のセキュリティ印刷ジョブを自動で選択する理由は、ユーザがセキュリティ印刷ジョブを選択しなくてよいようにすることによって簡単に操作できるようにするためである。
【００６１】
次に、ユーザインタフェースについて説明する。ＩＤカードによってユーザＩＤが入力された場合に提供するユーザインタフェースは、印刷対象のセキュリティ印刷ジョブに設定されているユーザＩＤの入力方法によって異なる。プリンタ１は、印刷対象のセキュリティ印刷ジョブにユーザＩＤの入力方法として「ＩＤカードによる入力」が設定されている場合はユーザインタフェースを提供しない。これに対し、「ＩＤカードによる入力＋パスワード」が設定されている場合は、プリンタ１はユーザインタフェースとして、パスワード入力画面４１、及び、簡易印刷条件変更画面４２を表示する。
【００６２】
先ず、パスワード入力画面４１について説明する。パスワード入力画面４１は、ユーザがパスワードを入力するための画面である。プリンタ１は印刷対象のセキュリティ印刷ジョブに設定されているパスワードとパスワード入力画面４１で入力されたパスワードとが一致する場合に印刷対象のセキュリティ印刷ジョブを印刷する。
【００６３】
次に、図４を参照して、簡易印刷条件変更画面４２について説明する。簡易印刷条件変更画面４２は、印刷対象のセキュリティ印刷ジョブに設定されている印刷条件をユーザが変更するための画面である。ただし、簡易印刷条件変更画面４２で設定値を変更できる印刷設定項目は、Ｎｉｎ１印刷、及び、両面印刷／小冊子印刷の二つに限られる。これは、設定値を変更できる印刷設定項目を少なくすることにより、ユーザが簡単に操作できるようにするためである。
【００６４】
また、前述した印刷設定画面３１ではＮｉｎ１印刷の設定値として１ｉｎ１、２ｉｎ１、４ｉｎ１、９ｉｎ１を設定できるが、簡易印刷条件変更画面４２では変更後の設定値は１ｉｎ１、２ｉｎ１、４ｉｎ１に限定され、９ｉｎ１に変更することはできない。これは、変更できる設定値を少なくすることにより、ユーザが簡単に操作できるようにするためである。
【００６５】
両面印刷／小冊子印刷についても同様であり、簡易印刷条件変更画面４２では変更後の設定値は「両面印刷する」、「両面印刷しない」に限定され、「小冊子印刷する」に変更することはできない。
なお、簡易印刷条件変更画面４２で変更できる印刷設定項目及び設定値は上記した例に限られず、後述する詳細印刷条件変更画面４４より少なければ、いずれでもよい。
簡易印刷条件変更画面４２は、画像処理の処理条件をユーザが設定するためのユーザインタフェースの一例である。
【００６６】
（３−２−２）パネル操作によってユーザＩＤが入力された場合
次に、図３を参照して、パネル操作によってユーザＩＤが入力された場合のユーザインタフェースについて説明する。パネル操作によってユーザＩＤが入力された場合は、プリンタ１はユーザインタフェースとして、印刷ジョブ選択画面４３、パスワード入力画面４１、詳細印刷条件変更画面４４、及び、ページ編集画面４５を表示する。
【００６７】
先ず、印刷ジョブ選択画面４３について説明する。印刷ジョブ選択画面４３は、記憶部１３に記憶されているセキュリティ印刷ジョブの中から印刷対象とするセキュリティ印刷ジョブをユーザが指定するための画面である。
印刷ジョブ選択画面４３には、記憶部１３に記憶されているセキュリティ印刷ジョブのうち、入力されたユーザＩＤと同じユーザＩＤが設定されているセキュリティ印刷ジョブであってユーザＩＤの入力方法として「パネル操作による入力」が設定されているセキュリティ印刷ジョブが一覧表示される。ユーザは一覧表示されたセキュリティ印刷ジョブの中から印刷対象とするセキュリティ印刷ジョブを指定できる。
印刷ジョブ選択画面４３は、画像処理の処理対象の画像をユーザが指定するためのユーザインタフェースの一例である。
【００６８】
次に、図５を参照して、詳細印刷条件変更画面４４について説明する。前述した簡易印刷条件変更画面４２では設定値を変更できる印刷設定項目がＮｉｎ１印刷、及び、両面印刷／小冊子印刷だけであるが、詳細印刷条件変更画面４４ではそれらに加えてカラー印刷設定の設定値、及び、すかし印刷の設定値も変更できる。
【００６９】
また、詳細印刷条件変更画面４４では変更後の設定値に制限はなく、印刷設定画面３１で設定できる設定値と同じ設定値に変更できる。例えばＮｉｎ１印刷の設定値を９ｉｎ１に変更することもできるし、両面印刷／小冊子印刷の設定値を「小冊子印刷する」に変更することもできる。詳細印刷条件変更画面４４は、画像処理の処理条件をユーザが設定するためのユーザインタフェースの一例である。
【００７０】
次に、図６を参照して、ページ編集画面４５について説明する。ページ編集画面４５は、印刷対象のセキュリティ印刷ジョブに格納されているページの削除やページの印刷順序を編集するための画面である。ページ編集画面４５には印刷対象のセキュリティ印刷ジョブに格納されているページのサムネイル画像が表示される。ユーザはサムネイル画像をスクロールさせることにより、全てのページのサムネイル画像を順に表示させることができる。
【００７１】
ユーザがサムネイル画像を選択してページを削除ボタン４５ａにタッチすると、選択したサムネイル画像に対応するページが削除される。また、ユーザがサムネイル画像を選択して１ページ前に移動ボタン４５ｂにタッチすると、選択したサムネイル画像に対応するページとそのページの直前に印刷されるページとの印刷順序が入れ替えられる。１ページ後ろに移動ボタン４５ｃも同様である。
【００７２】
ページ編集画面４５は、処理対象の画像処理ジョブに格納されている画像群の中から処理対象外とする画像をユーザが選択するためのユーザインタフェース、及び、画像群を構成している画像の処理順序をユーザが編集するためのユーザインタフェースの一例である。
なお、ページ編集画面４５は、印刷対象外とするページを選択する機能のみを有する画面であってもよいし、ページの印刷順序を編集する機能のみを有する画面であってもよい。
【００７３】
（３−２−３）ユーザインタフェースを異ならせる理由
次に、ユーザＩＤの入力方法によってユーザインタフェースを異ならせている理由について説明する。
【００７４】
ユーザインタフェースに対するユーザのニーズとしては、設定できる項目を少なくすることによって簡単に操作したいというニーズと、操作が複雑になっても多くの項目を設定したいというニーズとがある。
パネル操作によるユーザＩＤの入力は、操作パネルにユーザＩＤを一覧表示させる操作と、一覧表示されている複数のユーザＩＤの中から自身のユーザＩＤを選択する操作とが必要であるので、操作は２回必要である。また、表示されるユーザＩＤが多い場合は画面をスクロールさせる操作が必要になるので、操作回数は３回以上になることもある。
これに対し、ＩＤカードによるユーザＩＤの入力はカードリーダ１４にＩＤカードをかざすだけであるので操作は１回であるといえる。つまり、ＩＤカードによるユーザＩＤの入力は、パネル操作によるユーザＩＤの入力よりも操作回数が少ない入力方法であるといえる。
【００７５】
ＩＤカードによってユーザＩＤを入力したユーザは、操作回数が少ない入力方法を選択してユーザＩＤを入力していることから、操作回数が少ないことを望むユーザであると推測される。そのようなユーザの場合は、設定できる項目を少なくすることによって簡単に操作できる方がニーズに合っていると推測される。そこで、プリンタ１は、ＩＤカードによってユーザＩＤが入力された場合は、受け付けられる操作が少ないユーザインタフェースを提供する。
【００７６】
これに対し、パネル操作によってユーザＩＤを入力したユーザは、操作回数が多い入力方法を選択してユーザＩＤを入力していることから、操作が多いことに対する抵抗が小さいユーザであると推測される。そのようなユーザの場合は、操作が複雑になっても多くの項目を設定できる方がニーズに合っていると推測される。そこで、プリンタ１は、パネル操作によってユーザＩＤが入力された場合は、受け付けられる操作が多いユーザインタフェースを提供する。
【００７７】
（４）ユーザインタフェース決定処理
次に、図７を参照して、プリンタ１によって実行されるユーザインタフェース決定処理について説明する。ユーザインタフェース決定処理は決定処理の一例である。本処理はプリンタ１の電源がオンにされている間、０．１秒間隔などの一定時間間隔で繰り返し実行される。
【００７８】
Ｓ１０１では、制御部１０はカードリーダ１４にＩＤカードを読み取らせる操作、操作パネルにユーザＩＤ選択画面を表示させる操作、及び、その他の操作のいずれかが行われたか否かを判断する。ここで、ユーザＩＤ選択画面を表示させる操作及びその他の操作は操作部１２を操作することによって行われる。
制御部１０はいずれかの操作が行われた場合はＳ１０２に進み、操作が行われていない場合は本処理を終了する。
【００７９】
Ｓ１０２では、制御部１０は行われた操作がＩＤカードを読み取らせる操作であるか否かを判断し、ＩＤカードを読み取らせる操作である場合はＳ１０３に進み、それ以外の操作である場合はＳ１０４に進む。
Ｓ１０３では、制御部１０は第１の制御処理を実行する。
【００８０】
Ｓ１０４では、制御部１０は行われた操作が操作パネルにユーザＩＤ選択画面を表示させる操作であるか否かを判断し、ユーザＩＤ選択画面を表示させる操作である場合はＳ１０５に進み、他の操作である場合はＳ１０６に進む。
Ｓ１０５では、制御部１０は第２の制御処理を実行する。
Ｓ１０６では、制御部１０は他の操作に応じた処理を実行する。
上述した第１の制御処理及び第２の制御処理は制御処理の一例である。
【００８１】
（４−１）第１の制御処理
次に、図８を参照して、Ｓ１０３で実行される第１の制御処理について説明する。
Ｓ２０１では、制御部１０はカードリーダ１４によって読み取られたユーザＩＤを取得する。
【００８２】
Ｓ２０２では、制御部１０はＳ２０１で取得したユーザＩＤと一致するユーザＩＤが設定されているセキュリティ印刷ジョブであってユーザＩＤの入力方法として「ＩＤカードによる入力」又は「ＩＤカードによる入力＋パスワード」が設定されているセキュリティ印刷ジョブ（以下「該当するセキュリティ印刷ジョブ」という）が記憶部１３に記憶されているか否かを判断する。
制御部１０は、該当するセキュリティ印刷ジョブが記憶されている場合はＳ２０３に進み、記憶されていない場合は本処理を終了してユーザインタフェース決定処理に戻る。
【００８３】
Ｓ２０３では、制御部１０は該当するセキュリティ印刷ジョブが複数記憶されているか否かを判断し、複数記憶されている場合はＳ２０４に進み、一つだけである場合はＳ２０５に進む。
Ｓ２０４では、制御部１０は該当するセキュリティ印刷ジョブのうち最新の印刷ジョブを印刷対象のセキュリティ印刷ジョブとして選択する。
【００８４】
Ｓ２０５では、制御部１０は該当するセキュリティ印刷ジョブを印刷対象のセキュリティ印刷ジョブとして選択する。
Ｓ２０６では、制御部１０は印刷対象のセキュリティ印刷ジョブに設定されている入力方法が「ＩＤカードによる入力＋パスワード」である場合はパスワードの入力を要求すると判断してＳ２０７に進み、「ＩＤカードによる入力」である場合はパスワードの入力を要求しないと判断してＳ２１１に進む。
【００８５】
Ｓ２０７では、制御部１０はパスワード入力画面４１を表示する。
Ｓ２０８では、制御部１０は印刷対象のセキュリティ印刷ジョブに設定されているパスワードとパスワード入力画面４１で入力されたパスワードとが一致するか否かを判断し、一致する場合はＳ２０９に進み、一致しない場合は本処理を終了してユーザインタフェース決定処理に戻る。
【００８６】
Ｓ２０９では、制御部１０は簡易印刷条件変更画面４２を表示する。
Ｓ２１０では、制御部１０は簡易印刷条件変更画面４２で変更された印刷条件で印刷対象のセキュリティ印刷ジョブを印刷させる。
Ｓ２１１では、制御部１０は印刷対象のセキュリティ印刷ジョブに設定されている印刷条件で当該印刷対象のセキュリティ印刷ジョブを印刷させる。
【００８７】
Ｓ２１２では、制御部１０は印刷対象のセキュリティ印刷ジョブに設定されている印刷条件の「印刷されたセキュリティ印刷ジョブに関連付けられているセキュリティ印刷ジョブを削除する」の設定値がオンであるか否かを判断し、オンである場合はＳ２１３に進み、オフである場合は本処理を終了してユーザインタフェース決定処理に戻る。
Ｓ２１３では、制御部１０は印刷対象のセキュリティ印刷ジョブに関連付けられているセキュリティ印刷ジョブを記憶部１３から削除する。そして本処理を終了してユーザインタフェース決定処理に戻る。
【００８８】
（４−２）第２の制御処理
次に、図９を参照して、Ｓ１０５で実行される第２の制御処理について説明する。
Ｓ３０１では、制御部１０は記憶部１３に記憶されている全てのセキュリティ印刷ジョブからユーザＩＤを読み出す。そして、制御部１０はユーザＩＤを選択するためのユーザＩＤ選択画面を操作パネルに表示し、読み出したユーザＩＤをそのユーザＩＤ選択画面に一覧表示する。ユーザは一覧表示されているユーザＩＤの中から自身のユーザＩＤを選択することによってプリンタ１にユーザＩＤを入力することができる。
【００８９】
Ｓ３０２では、制御部１０はユーザＩＤ選択画面で入力されたユーザＩＤと一致するユーザＩＤが設定されているセキュリティ印刷ジョブであってユーザＩＤの入力方法として「パネル操作による入力」が設定されているセキュリティ印刷ジョブ（以下「該当するセキュリティ印刷ジョブ」という）が記憶部１３に記憶されているか否かを判断する。そして、制御部１０は該当するセキュリティ印刷ジョブが記憶されている場合はＳ３０３に進み、記憶されていない場合は本処理を終了してユーザインタフェース決定処理に戻る。
【００９０】
Ｓ３０３では、制御部１０は印刷ジョブ選択画面４３を表示する。
Ｓ３０４では、制御部１０はパスワード入力画面４１を表示する。
Ｓ３０５では、制御部１０は印刷ジョブ選択画面４３で選択された印刷対象のセキュリティ印刷ジョブに設定されているパスワードとパスワード入力画面４１で入力されたパスワードとが一致するか否かを判断し、一致する場合はＳ３０６に進み、一致しない場合は本処理を終了してユーザインタフェース決定処理に戻る。
【００９１】
Ｓ３０６では、制御部１０は詳細印刷条件変更画面４４を表示する。
Ｓ３０７では、制御部１０はページ編集画面４５を表示する。
Ｓ３０８では、制御部１０は印刷対象のセキュリティ印刷ジョブを印刷させる。この印刷はＳ３０６での印刷条件の変更及びＳ３０７でのページの編集を反映して行われる。
Ｓ２１２及びＳ２１３は第１の制御処理で説明した処理と同じであるので説明は省略する。
【００９２】
（５）実施形態の効果
以上説明した実施形態１に係るプリンタ１によると、ＩＤカードによってユーザＩＤが入力された場合は受け付けられる操作が少ないユーザインタフェースを提供する一方、操作パネルによってユーザＩＤが入力された場合は受け付けられる操作が多いユーザインタフェースを提供する。これにより、ユーザＩＤが入力されると印刷に関する操作を受け付けるユーザインタフェースを提供する場合に、よりユーザのニーズに合ったユーザインタフェースを提供することができる。
【００９３】
更に、プリンタ１によると、印刷対象のセキュリティ印刷ジョブをユーザが指定する場合に、ユーザのニーズに合ったユーザインタフェースを提供することができる。具体的には、ＩＤカードによってユーザＩＤを入力したユーザの場合は印刷対象のセキュリティ印刷ジョブを自動で選択するので、簡単に操作できることを望むユーザのニーズに合ったユーザインタフェースを提供できる。これに対し、パネル操作によってユーザＩＤを入力したユーザの場合は印刷ジョブ選択画面４３を表示するので、操作が複雑になっても多くの項目を設定できることを望むユーザのニーズに合ったユーザインタフェースを提供できる。
【００９４】
更に、プリンタ１によると、セキュリティ印刷ジョブに設定されている印刷条件の設定値を変更する場合に、ユーザのニーズに合ったユーザインタフェースを提供することができる。具体的には、ＩＤカードによってユーザＩＤを入力したユーザの場合は簡易印刷条件変更画面４２を表示するので、設定できる項目を少なくすることによって簡単に操作できることを望むユーザのニーズに合ったユーザインタフェースを提供できる。これに対し、パネル操作によってユーザＩＤを入力したユーザの場合は詳細印刷条件変更画面４４を表示するので、操作が複雑になっても多くの項目を設定できることを望むユーザのニーズに合ったユーザインタフェースを提供できる。
【００９５】
更に、プリンタ１によると、印刷対象のセキュリティ印刷ジョブに格納されているページ群の中から印刷対象外とするページをユーザが選択する場合、及び、ページ群を構成しているページの印刷順序をユーザが編集する場合に、ユーザのニーズに合ったユーザインタフェースを提供することができる。具体的には、ＩＤカードによってユーザＩＤが入力された場合はページ編集画面４５を表示しないことにより、印刷対象外とするページの選択やページの印刷順序の編集をユーザが行わなくてよいようにすることができる。これに対し、パネル操作によってユーザＩＤが入力された場合はページ編集画面４５を表示することにより、ユーザは印刷対象外とするページの選択やページの印刷順序の編集を行うことができる。
【００９６】
また、実施形態１に係るプリンタドライバ３０によると、ユーザはＰＣ２でユーザＩＤの入力方法を設定することにより、プリンタ１にユーザＩＤを入力するときの入力方法を選択することができる。
【００９７】
＜実施形態２＞
次に、実施形態２を図１０ないし図１１によって説明する。
前述した実施形態１ではユーザが入力したパスワードと印刷対象のセキュリティ印刷ジョブに設定されているパスワードとが一致するか否かを判断する場合を例に説明した。これに対し、実施形態２では予め各ユーザのユーザＩＤとパスワードとを対応付けてプリンタ１に登録しておき、ユーザが入力したパスワードとプリンタ１に登録されているパスワードとが一致するか否かを判断する。
ただし、一部のユーザはパスワードの入力が不要である。そのようなユーザはユーザＩＤにパスワードの入力が不要であることを示す情報が対応付けられて登録されているものとする。
【００９８】
（１）第１の制御処理
先ず、図１０及び図１１を参照して、実施形態２に係る第１の制御処理について説明する。
Ｓ４０１では、制御部１０はカードリーダ１４によって読み取られたユーザＩＤを取得する。
Ｓ４０２では、制御部１０はパスワードの入力が必要なユーザであるか否かをＳ４０１で取得したユーザＩＤに基づいて判断する。具体的には、制御部１０は取得したユーザＩＤにパスワードの入力が不要であることを示す情報が対応付けられていない場合はパスワードの入力が必要なユーザであると判断して４０３に進み、パスワードの入力が不要であることを示す情報が対応付けられている場合はパスワードの入力が不要なユーザであると判断してＳ４０５に進む。
【００９９】
Ｓ４０３では、制御部１０はパスワード入力画面４１を表示する。
Ｓ４０４では、制御部１０はＳ４０１で取得したユーザＩＤに対応付けられてプリンタ１に登録されているパスワードとパスワード入力画面４１で入力されたパスワードとが一致するか否かを判断し、一致する場合は正しいパスワードであるとしてＳ４０５に進み、一致しない場合は本処理を終了してユーザインタフェース決定処理に戻る。
【０１００】
Ｓ４０５では、制御部１０はＳ４０１で取得したユーザＩＤと一致するユーザＩＤが設定されているセキュリティ印刷ジョブであってユーザＩＤの入力方法として「ＩＤカードによる入力」又は「ＩＤカードによる入力＋パスワード」が設定されているセキュリティ印刷ジョブ（以下「該当するセキュリティ印刷ジョブ」という）が記憶部１３に記憶されているか否かを判断する。
制御部１０は、該当するセキュリティ印刷ジョブが記憶されている場合はＳ４０６に進み、記憶されていない場合は本処理を終了してユーザインタフェース決定処理に戻る。
【０１０１】
Ｓ４０６では、制御部１０は該当するセキュリティ印刷ジョブが複数記憶されているか否かを判断し、複数記憶されている場合はＳ４０７に進み、一つだけである場合はＳ４０８に進む。
Ｓ４０７では、制御部１０は該当するセキュリティ印刷ジョブのうち最新の印刷ジョブを印刷対象のセキュリティ印刷ジョブとして選択する。
Ｓ４０８では、制御部１０は該当するセキュリティ印刷ジョブを印刷対象のセキュリティ印刷ジョブとして選択する。
【０１０２】
Ｓ４０９では、制御部１０はＳ４０２でパスワードの入力が必要なユーザであると判断されている場合はＳ４１０に進み、パスワードの入力が不要なユーザであると判断されている場合はＳ４１２に進む。
Ｓ４１０では、制御部１０は簡易印刷条件変更画面４２を表示する。
Ｓ４１１では、制御部１０は簡易印刷条件変更画面４２で変更された印刷条件で印刷対象のセキュリティ印刷ジョブを印刷させる。
【０１０３】
Ｓ４１２では、制御部１０は印刷対象のセキュリティ印刷ジョブに設定されている印刷条件で当該印刷対象のセキュリティ印刷ジョブを印刷させる。
Ｓ２１２及びＳ２１３は実施形態１で説明した処理と同じであるので説明は省略する。
【０１０４】
（２）第２の制御処理
次に、図１２を参照して、実施形態２に係る第２の制御処理について説明する。
Ｓ５０１では、制御部１０はユーザＩＤ選択画面を表示する。
Ｓ５０２では、制御部１０はパスワード入力画面４１を表示する。
【０１０５】
Ｓ５０３では、制御部１０はＳ５０１で選択されたユーザＩＤに対応付けられてプリンタ１に登録されているパスワードとパスワード入力画面４１で入力されたパスワードとが一致するか否かを判断し、一致する場合は正しいパスワードであるとしてＳ５０４に進み、一致しない場合は本処理を終了してユーザインタフェース決定処理に戻る。
【０１０６】
Ｓ５０４では、制御部１０はＳ５０１で選択されたユーザＩＤと一致するユーザＩＤが設定されているセキュリティ印刷ジョブであってユーザＩＤの入力方法として「パネル操作による入力」が設定されているセキュリティ印刷ジョブ（以下「該当するセキュリティ印刷ジョブ」という）が記憶部１３に記憶されているか否かを判断する。制御部１０は該当するセキュリティ印刷ジョブが記憶されている場合はＳ５０５に進み、記憶されていない場合は本処理を終了してユーザインタフェース決定処理に戻る。
【０１０７】
Ｓ５０５では、制御部１０は印刷ジョブ選択画面４３を表示する。
Ｓ５０６では、制御部１０は詳細印刷条件変更画面４４を表示する。
Ｓ５０７では、制御部１０はページ編集画面４５を表示する。
Ｓ５０８では、制御部１０は印刷対象のセキュリティ印刷ジョブを印刷させる。この印刷はＳ５０６での印刷条件の変更及びＳ５０７でのページの編集を反映して行われる。
Ｓ２１２及びＳ２１３は実施形態１で説明した処理と同じであるので説明は省略する。
【０１０８】
なお、実施形態２では印刷設定画面３１で入力されたパスワードは用いられないので、印刷設定画面３１ではパスワードを入力できないようにしてもよい。また、同じ理由により、入力方法設定画面３２で設定できる入力方法は「ＩＤカードによる入力」３２ａ、及び、「パネル操作による入力」３２ｃの二つのみであってもよい。
【０１０９】
（３）実施形態の効果
以上説明した実施形態２に係るプリンタ１によると、ユーザＩＤが入力されると印刷に関する操作を受け付けるユーザインタフェースを提供する場合に、よりユーザのニーズに合ったユーザインタフェースを提供することができる。
【０１１０】
＜実施形態３＞
次に、実施形態３を図１３によって説明する。
前述した実施形態１及び実施形態２ではユーザＩＤの入力方法に対応するユーザインタフェースが固定されていた。これに対し、実施形態３では各入力方法に対応するユーザインタフェースをユーザが設定できる。
【０１１１】
図１３を参照して、各入力方法に対応するユーザインタフェースの設定について説明する。ユーザは操作部１２を操作することによってユーザインタフェースの設定を要求することができる。制御部１０はユーザインタフェースの設定が要求されると操作パネルにユーザインタフェース設定画面４６を表示する。
ユーザインタフェース設定画面４６は、パネル操作によるユーザＩＤの入力に対応するユーザインタフェースと、ＩＤカードによるユーザＩＤの入力に対応するユーザインタフェースとをユーザが設定するための画面である。いずれのユーザインタフェースを設定する場合も設定方法は同じであるのでここではパネル操作によるユーザＩＤの入力に対応するユーザインタフェースを設定する場合を例に説明する。
【０１１２】
ユーザインタフェースの設定では、ユーザは印刷条件変更画面の表示４６ａ、ページ編集画面の表示４６ｂ、及び、印刷ジョブの選択４６ｃについて設定することができる。
印刷条件変更画面の表示４６ａでは、ユーザは簡易印刷条件変更画面４２を表示する、詳細印刷条件変更画面４４を表示する、又は、いずれの印刷条件変更画面も表示しない、を選択することができる。
【０１１３】
ページ編集画面の表示４６ｂでは、ユーザはページ編集画面４５を表示する、又は、ページ編集画面４５を表示しない、を選択することができる。
【０１１４】
印刷ジョブの選択４６ｃでは、ユーザは印刷ジョブ選択画面４３を表示する、最新のジョブを印刷（最新のセキュリティ印刷ジョブを自動で選択する）、又は、最も古いのジョブを印刷（最も古いセキュリティ印刷ジョブを自動で選択する）、を選択することができる。
ユーザインタフェース設定画面４６を表示して各入力方法に対応するユーザインタフェースの設定をユーザから受け付ける処理はインタフェース設定処理の一例である。
【０１１５】
プリンタ１は、ユーザインタフェース設定画面４６によって各入力方法に対応するユーザインタフェースが設定されると、ユーザＩＤの入力を受け付けたとき、その入力方法に対応するユーザインタフェースであってユーザインタフェース設定画面４６によって対応付けられているユーザインタフェースに決定する。
【０１１６】
以上説明した実施形態３に係るプリンタ１によると、各入力方法に対応するユーザインタフェースをユーザが設定できるので、ユーザのニーズにより合ったユーザインタフェースを提供することができる。
【０１１７】
＜他の実施形態＞
上記記述及び図面によって説明した実施形態に限定されるものではなく、例えば次のような実施形態も技術的範囲に含まれる。
【０１１８】
（１）上記実施形態ではユーザ情報としてユーザＩＤを例に説明した。しかしながら、ユーザ情報はユーザによって入力される情報であればユーザＩＤに限られない。例えばセキュリティ印刷ジョブにパスワードを設定し、ユーザＩＤに替えてパスワードの入力を受け付け、受け付けたパスワードが設定されているセキュリティ印刷ジョブの中から印刷対象のセキュリティ印刷ジョブを選択してもよい。また、ユーザ情報はユーザが属するグループのグループＩＤであってもよい。ユーザ情報としてどのような情報を用いるかは適宜に決定することができる。
【０１１９】
また、ユーザ情報の入力は音声入力によって行ってもよい。また、上記実施形態ではパネル操作によるユーザＩＤの入力方法として、一覧表示されているユーザＩＤの中からユーザＩＤを選択させる場合を例に説明した。これに対し、例えばキーボードの操作によってユーザＩＤを入力させてもよい。
【０１２０】
（２）上記実施形態ではいずれの入力方法によってユーザＩＤが入力された場合もユーザインタフェースを提供する場合を例に説明した。これに対し、特定の入力方法によってユーザＩＤが入力された場合はユーザインタフェースを提供しないようにしてもよい。
【０１２１】
例えば、パネル操作によってユーザＩＤの入力を受け付けた場合はユーザインタフェースを提供すると決定する一方、ＩＤカードによってユーザＩＤの入力を受け付けた場合はユーザインタフェースを提供しないと決定してもよい。
ＩＤカードによってユーザＩＤを入力したユーザは、パネル操作によってユーザＩＤを入力したユーザに比べ、操作が多いことに対する抵抗が大きいと推測される。そして、操作が多いことに対する抵抗が大きいユーザは、ユーザインタフェースが提供されること自体を望まないと推測される。このため、ＩＤカードによってユーザＩＤが入力された場合はユーザインタフェースを提供しないことにより、ユーザインタフェースが提供されること自体を望まないユーザのニーズに合わせることができる。
【０１２２】
（３）上記実施形態では複数のユーザインタフェースのうちいずれのユーザインタフェースを提供するかをユーザＩＤの入力方法に基づいて決定する場合を例に説明した。これに対し、ユーザインタフェースを提供させるか否か、及び、複数のユーザインタフェースのうちいずれのユーザインタフェースを提供させるかの両方をユーザＩＤの入力方法に基づいて決定してもよい。
例えば、ユーザＩＤの入力方法として第１〜第３の入力方法がある場合に、第１の入力方法によって入力された場合はユーザインタフェースを提供しないと決定し、第２の入力方法又は第３の入力方法によってユーザＩＤが入力された場合は、二つのユーザインタフェースのうちいずれのユーザインタフェースを提供するかを、第２の入力方法によってユーザＩＤが入力されたか第３の入力方法によってユーザＩＤが入力されたかによって決定してもよい。
【０１２３】
（４）上記実施形態ではＩＤカードによってユーザＩＤが入力された場合はパネル操作によってユーザＩＤが入力された場合よりも受け付けられる操作が少ないユーザインタフェースを提供する場合を例に説明した。これに対し、パネル操作によってユーザＩＤが入力された場合は、ＩＤカードによってユーザＩＤが入力された場合よりも受け付けられる操作が少ないユーザインタフェースを提供してもよい。
この場合、簡単に操作できることを望むユーザはパネル操作によってユーザＩＤを入力することにより、ユーザＩＤを入力するための操作自体は増えるものの、自身のニーズに合うユーザインタフェースが提供されるようにすることができる。
【０１２４】
（５）上記実施形態では操作パネルに画面を表示することによってユーザインタフェースを提供する場合を例に説明した。しかしながら、ユーザインタフェースはこれに限られるものではない。例えば音声入力によって操作を受け付けるユーザインタフェースを提供してもよい。
【０１２５】
（６）上記実施形態では画像処理装置としてプリンタ１を例に説明した。これに対し、画像処理装置はプリンタ機能、スキャナ機能、ファクシミリ機能、コピー機能などを備える所謂複合機であってもよい。
その場合、画像処理ジョブはコピージョブであってもよい。例えば累積のコピー枚数をユーザ毎にカウントするためにユーザＩＤの入力を要求する場合がある。その場合に、コピージョブに関する操作を受け付けるユーザインタフェースをユーザＩＤの入力方法に応じて決定してもよい。
また、画像処理ジョブは原稿を読み取る読取ジョブであってもよいし、原稿を読み取ってファクシミリ送信するファクシミリジョブであってもよい。
（７）上記実施形態ではユーザＩＤの入力方法をＰＣ２で選択する場合を例に説明した。これに対し、ユーザＩＤの入力方法をＰＣ２で選択させず、ユーザがプリンタ１にユーザＩＤを入力するときに任意の入力方法を選択できるようにしてもよい。
【０１２６】
（８）上記実施形態では制御部１０が一つのＣＰＵ１０ａを備える場合を例に説明した。これに対し、制御部１０は複数のＣＰＵを備えてもよい。また、制御部１０はＡＳＩＣによって構成されてもよい。
【符号の説明】
【０１２７】
１・・・プリンタ、２・・・ＰＣ、１０・・・制御部、１１・・・印刷部、１２・・・操作部、１４・・・カードリーダ、２０・・・ＣＰＵ、２６・・・通信インタフェース部、３０・・・プリンタドライバ、３１・・・印刷設定画面、３２・・・入力方法設定画面、４１・・・パスワード入力画面、４２・・・簡易印刷条件変更画面、４３・・・印刷ジョブ選択画面、４４・・・詳細印刷条件変更画面、４５・・・ページ編集画面、４６・・・ユーザインタフェース設定画面
【図１】
2014024295.tif 000003
【図２】
2014024295.tif 000004
【図３】
2014024295.tif 000005
【図４】
2014024295.tif 000006
【図５】
2014024295.tif 000007
【図６】
2014024295.tif 000008
【図７】
2014024295.tif 000009
【図８】
2014024295.tif 000010
【図９】
2014024295.tif 000011
【図１０】
2014024295.tif 000012
【図１１】
2014024295.tif 000013
【図１２】
2014024295.tif 000014
【図１３】
2014024295.tif 000015